(57)【要約】      （修正有）【課題】時計に対してユーザーが正対してない場合における表示時刻の視認性を向上することができる時計を提供する。【解決手段】上方向側開口２１ａを有する胴２と、上方向側開口２１ａを覆い、かつ胴２に固定される風防４と、下方向側開口２１ｂを覆い、かつ胴２に固定される裏蓋５と、風防４を介して外部から視認することができる見返しリング３１と、見返しリング３１に設けられ、かつ上下方向において風防４と対向する１以上の時字３２Ａを備える。見返しリング３１は、上下方向において上方向側から下方向側に向かって径方向外側に傾斜する傾斜部を有し、時字３２Ａは、傾斜部に設けられる。【選択図】図２
2020134246.tif 000002
【特許請求の範囲】
【請求項１】
開口を有する胴と、
前記開口の一方を覆い、かつ前記胴に固定される風防と、
前記開口の他方を覆い、かつ前記胴に固定される裏蓋と、
前記風防を介して外部から視認することができる見返しリングと、
前記見返しリングに設けられ、かつ上下方向において前記風防と対向する１以上の時字と、
を備え、
前記見返しリングは、上下方向において上方向側から下方向側に向かって径方向外側に傾斜する傾斜部を有し、
前記時字は、前記傾斜部に設けられる、
ことを特徴とする時計。
【請求項２】
前記見返しリングは、上下方向において少なくとも一部が前記胴の前記上方向側の端部より上方向側に突出している
請求項１に記載の時計。
【請求項３】
前記時字は、上下方向において少なくとも一部が前記胴の前記上方向側の端部より上方向側に突出している
請求項１または２に記載の時計。
【請求項４】
前記胴は、上下方向において上方向側に突出する外壁部を有し、
前記外壁部は径方向において前記風防と対向し、
前記胴の前記上方向側の端部は前記外壁部である
請求項１〜３のいずれか１項に記載の時計。
【請求項５】
前記時字は、上下方向において一部が前記見返しリングより上方向側に突出している
請求項１から４のいずれか１項に記載の時計。
【請求項６】
前記風防は、
外周端部が上下方向において前記下方向側に突出して形成され、
前記外周端部の厚さは、上下方向において前記開口と対向する部分における厚さよりも薄い、
請求項１〜５のいずれか１項に記載の時計。
【請求項７】
前記胴の内部空間部に収容され、かつ上下方向において前記風防と対向する透過性を有する透過基板をさらに備え、
前記胴は、上方向側に前記傾斜部が積層される対応傾斜部を有し、
前記対応傾斜部は、下方向側に、前記内部空間部を構成する内周面より、径方向外側に切り欠かれる文字板用切欠部を有し、
前記透過基板は、径方向において外周端部が前記文字板用切欠部に挿入される、
請求項１〜６のいずれか１項に記載の時計。
【発明の詳細な説明】
【技術分野】
【０００１】
本発明は、時計に関する。
【背景技術】
【０００２】
一般に、時計は、ユーザーが風防を介して、文字板上の時字と指針との相対位置から時刻表示を視認する（特許文献１参照）。時計においては、文字板を囲うように配置された見返しリングを備えるものがあり、時字を見返しリングに設けるものがある（特許文献２参照）。
【先行技術文献】
【特許文献】
【０００３】
【特許文献１】特開２００９−６３４９０号
【特許文献２】特開２０１５−１３７８８４号
【発明の概要】
【発明が解決しようとする課題】
【０００４】
見返しリングは、文字板よりも径方向外側に位置しているため、ユーザーが時計と正対していない場合、すなわち時計を上下方向（文字板に略垂直な方向）ではない方向から見た場合、文字板と比較して視認性が高い。つまり、見返しリングに時字を設けることで、時刻表示の視認性を向上することができる。
【０００５】
しかしながら、例えば、ユーザーが現在時刻を確認したい際に、時計とユーザーとの位置関係によっては、時計を真横、すなわち上下方向と直交する方向あるいはほぼ真横から見る場合もある。この場合、視認できる時字の面積が正面から見た場合と比較して著しく小さくなるため、視認性が十分ではないという問題がある。
【０００６】
本発明は、上記に鑑みてなされたものであって、時計に対してユーザーが正対してない場合における時刻表示の視認性を向上することができる時計を提案することを目的とする。
【課題を解決するための手段】
【０００７】
上述した課題を解決し、目的を達成するために、本実施形態における時計は、開口を有する胴と、前記開口の一方を覆い、かつ前記胴に固定される風防と、前記開口の他方を覆い、かつ前記胴に固定される裏蓋と、前記風防を介して外部から視認することができる見返しリングと、前記見返しリングに設けられ、かつ上下方向において前記風防と対向する１以上の時字と、備え、前記見返しリングは、上下方向において上方向側から下方向側に向かって径方向外側に傾斜する傾斜部を有し、前記時字は、前記傾斜部に設けられる、ことを特徴とする。
【発明の効果】
【０００８】
本発明における時計は、時計に対してユーザーが正対してない場合における時刻表示の視認性を向上することができるという効果を奏する。
【図面の簡単な説明】
【０００９】
【図１】図１は、実施形態における時計の全体構成図である。
【図２】図２は、実施形態における時計の断面図である。
【図３】図３は、実施形態における時計の要部拡大断面図である。
【図４】図４は、実施形態における時計の断面斜視図である。
【図５】図５は、実施形態における時計表示部の一部正面図である。
【図６】図６は、実施形態における透明基板の正面図である。
【図７】図７は、実施形態における化粧板の正面図である。
【図８】図８は、実施形態における装飾基板の正面図である。
【図９】図９は、実施形態における装飾基板の正面図である。
【発明を実施するための形態】
【００１０】
以下、本発明につき図面を参照しつつ詳細に説明する。なお、下記の実施形態により本発明が限定されるものではない。また、下記の実施形態における構成要素には、当業者が容易に想定できるものあるいは実質的に同一のものが含まれる。
【００１１】
〔実施形態〕
図１は、実施形態における時計の全体構成図である。図２は、実施形態における時計の断面図である。図３は、実施形態における時計の要部拡大断面図である。図４は、実施形態における時計の断面斜視図である。なお、図２および図４は、図１に示す時計１のうち、指針中心と９時との間の断面の一部で、かつ６時方向に見たものである。図３は、図２の一部拡大図である。また、図１〜図４（図５〜図９も同様）におけるＸ方向は時計の１２時６時方向であり、Ｙ方向は時計の３時９時方向であり、Ｚ方向は時計の上下方向である。Ｘ１は１２時方向、Ｘ２は６時方向、Ｙ１は３時方向、Ｙ２は９時方向、Ｚ１は上方向、Ｚ２は下方向である。Ｏは時計１の中心であり、Ｏを中心としたＸＹ平面における方向を径方向と呼ぶ。
【００１２】
実施形態における時計１は、水晶発振器の出力に基づいて内部時刻を計時し、計時した時刻を指針で示す電子時計である。時計１は、計時以外にもアラーム機能やクロノグラフなどの機能を有する多機能型電子時計であってもよい。また、標準電波や衛星が出力するＧＰＳ（ＧＬＯＢＡＬ  ＰＯＳＩＴＩＯＮＩＮＧ  ＳＹＳＴＥＭ）電波を受信し、受信した電波の時刻情報に基づいて内部時刻を補正する電波時計であってもよい。さらに、通信部により外部の端末機器と無線あるいは有線の少なくともいずれか一方により接続され、端末機器において設定された指示に基づいて、特定の機能（例えば、アラーム機能、端末機器の内部時刻情報に基づいた時刻補正機能、メール受信時などに報知する報知機能など）を実現する端末機器連動時計であってもよい。
【００１３】
時計１は、図１〜図４に示すように、外装ケース１０と、時計表示部３と、ムーブメント８と、を備える。本実施形態における時計１は、時計表示部３がアナログ表示式のアナログ電子腕時計であり、腕時計式として説明するが、掛け時計式、置き時計式、懐中時計式であってもよい。
【００１４】
外装ケース１０は、時計１の最外郭を構成するものであり、胴２と風防４と裏蓋５とで構成される。胴２は、開口を有し、開口内部の空間にあたる内部空間部Ｓ１に時計表示部３やムーブメント８が保持される。本実施形態においては、胴２は円環状であり、開口は時計１の中心Ｏを中心とする円形形状である。開口の形状は、時計１の外装ケース１０の外形形状や、デザインに合わせて任意の形状とすることができる。胴２は、外周側面の１２時方向及び６時方向からそれぞれ突出して形成された先かん２２を備える。１２時側の先かん２２にはベルト９の一端が連結され、６時側の先かん２２にはベルト９の他端が連結される。
【００１５】
胴２の開口の一方の側である上方向開口２１ａを風防４が覆い、他方の側である下方向開口２１ｂを裏蓋５が覆い、それぞれ固定することによって、内部空間部Ｓ１は閉塞空間となるため、時計表示部３やムーブメント８を保護することができる。風防４や裏蓋５を胴２に固定するのに際してそれぞれゴムパッキンなどの防水部材６，７を介することにより、保持力を高め、時計１の防塵性や防水性を高めることができる。
胴２は、例えば、樹脂材料や金属材料、セラミック材料などにより形成されている。
風防４は、上方向側開口２１ａを覆う形状であり、上方向側から挿入し胴２に固定することで内部空間部Ｓ１を閉塞する。本実施形態では風防４の平面視における外形形状は、円形状をしている。風防４は、例えば、ガラスや透過性の樹脂材料などにより形成されている。
裏蓋５は、下方向開口部２１ｂと略同形状の係合部を有し、下方向側から挿入し胴２に固定することで内部空間部Ｓ１を閉塞する。本実施形態では裏蓋５の外形形状は円形状である。裏蓋５は、例えば、胴２と同様に樹脂材料や金属材料、セラミック材料などにより形成されている。
【００１６】
ムーブメント８は、発振器、制御回路、駆動機構、発電機構、二次電池、地板８３、押え板８４などを備え、時計１の計時機能やその他の機能動作などを行う。
発振器は、時計１の表示時刻の計時やその他の機能動作に関する基準周波数を生成するための源振であり、例えば水晶振動子を用いることが出来る。水晶振動子は外部温度により発振特性が変動しやすいため、温度補償型水晶振動器（ＴＣＸＯ）を用いてもよい。
制御回路は、時計１の制御を行う回路であり、発振器から出力されたクロック信号に基づき、時計１の内部時刻を計時したり、各機能に応じた制御信号を出力する。制御回路はＣＰＵ（Ｃｅｎｔｒａｌ  Ｐｒｏｃｅｓｓｉｎｇ  Ｕｎｉｔ）及びＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）といったメモリを含む回路で構成される。
【００１７】
駆動機構は、駆動回路やモータ、輪列歯車等を含み、制御回路からの制御信号が駆動回路に入力され、入力された信号に応じてモータを駆動させる。モータに連結された輪列歯車などは協働して動く。例えば輪列歯車の一端に指針が取り付けられている場合は、指針を回転駆動することができる。本実施形態において、モータは、ステップモータ（不図示）及びエレクトレットモータ（以下、「ＥＭ」と称することがある。）８５が配置されている。ＥＭ８５の詳細については後述する。
【００１８】
発電機構は、外部エネルギーによって発電し、発電した電力を二次電池や制御回路などの電子部品に供給する。発電機構には、光エネルギーを変換する光電変換素子や、熱エネルギーを変換する熱電変換素子、振動エネルギー等の機械運動から発電する機械電気変換素子等を用いることが出来る。本実施形態においては、発電機構として機械電気変換素子である２つのエレクトレットジェネレータ（以下、「ＥＧ」と称することがある。）８１，８２を用いている。ＥＧ８１，８２の詳細については後述する。
二次電池は、発電機構によって発電した電力を蓄電することができるとともに、制御回路や駆動機構、その他の電子部品等に供給する電力源である。二次電池には例えば、リチウムイオン電池や全個体電池を用いることができる。
【００１９】
ここで、本実施形態の駆動機構及び発電機構に用いられるエレクトレットモータ（ＥＭ８５）及びエレクトレットジェネレータ（ＥＧ８１，８２）について説明する。ＥＭ８５及びＥＧ８１，８２はいずれも静電誘導型の機械電気変換素子である。静電誘導型機械電気変換素子は、例えば、複数の帯電電極が形成された移動子と、当該帯電電極に対向して配置される複数の対向電極が形成された固定子とで構成され、移動子と固定子とが相対的に移動することにより、電気−機械変換をすることができる。
本実施形態において、移動子は略円盤形状をしており、回転軸を中心として回転する回転子である。移動子の回転軸には歯車が取り付けられており、図示しない輪列歯車に連結されている。固定子は回転子の電極と略胴形状の複数の電極が形成された基板であり、基板に樹脂基板やガラス基板を用いることができる。
【００２０】
静電誘導型機械電気変換素子をエレクトレットモータとして使用する場合は、例えば、駆動回路から複数の固定電極のうち隣り合う電極に異なる電位を印加するような信号を入力することにより、回転子を回転駆動することができる。継続的に回転するためには固定電極に印加する電位を経時的に切り替えていけばよい。回転速度は信号の切り替え間隔（周波数）に依存する。
静電誘導型機械電気変換素子をエレクトレットジェネレータとして使用する場合は、例えば、輪列歯車に図示しない回転錘を連結する。回転錘は時計１の姿勢変化に伴って回転軸を中心として自由に回動可能に構成され、回転錘が回転することによって、輪列歯車を介した回転子が回転する。これにより複数の固定電極のうち隣り合う電極間に電位差が生じるため、発電することができる。
本実施形態のＥＭ８５及びＥＧ８１，８２は、少なくとも上方向側に配置される固定子が透明基板上に複数の透明導電膜を形成された構成となっており、時計１に組み込んだ際に、ユーザーが視認可能なようにムーブメント８の上方向側に配置されている。
【００２１】
地板８３は、駆動機構や発電機構などが取り付けられるものである。押え板８４は、各地板８３との間に配置される各輪列歯車を回転自在に支持するものである。
【００２２】
時計表示部３は、指針３３と文字板３４と見返しリング３１とを有する。時計表示部３は、ムーブメント８の制御回路によって計時された内部時刻を表示したり、その他の機能に関する機能表示を行う。
【００２３】
指針３３は、時計１の中心Ｏを回転軸として回動可能なように配置され、ムーブメント８の輪列歯車に連結し、駆動回路の駆動信号に応じて駆動するモータを介して、回転駆動をする。指針３３は棒状であり、金属材料や樹脂材料などにより形成される。
本実施形態において、指針３３は、秒針３３Ａ、分針３３Ｂ、時針３３Ｃであり、胴２の上方向側開口２１ａよりも上方向側（風防４側）に配置される。指針３３が指し示す位置に応じて、内部時刻に基づいた現在時刻を表示したり、その他の機能を有する場合にはその機能に応じた設定情報などを表示することができる。その他の機能の情報表示としては、アラーム機能のＯＮ・ＯＦＦの設定や、アラームの設定時刻、クロノグラフ表示、電池残量などが挙げられる。
【００２４】
文字板３４は、指針３３とムーブメント８との間に配置され、ムーブメント８を保護する。
見返しリング３１は、指針３３の回転面における周方向に沿うように配置される。見返しリング３１の表面上（風防４と対向する側）には、時字３２（時字３２Ａ，３２Ｂ）が設けられている。つまり、時字３２は、上下方向において風防４と対向するように配置され、風防４を介してユーザーが視認することができる。指針３３（秒針３３Ａ、分針３３Ｂおよび時針３３Ｃ）と時字３２との相対位置により、ユーザーは現在時刻や機能の設定情報等を認識することができる。
【００２５】
見返しリング３１は、上下方向において上方向側から下方向側に向かって径方向外側に傾斜する傾斜部３１２を有する。時字３２は、傾斜部３１２に形成される。これにより、時計１に対してユーザーが正対してない場合において、時字３２の視認面積を正対している場合と比較して増加、あるいは減少することを抑制できるので、時字３２に対する各針３３Ａ〜３３Ｃの相対位置をユーザーが確認し易くなる。従って、時計１に対してユーザーが正対してない場合における時刻表示の視認性を向上することができる。
【００２６】
本実施形態においては、図３に示すように、見返しリング３１は胴２に形成された見返し受け部２９上に配設される。見返し受け部２９の内周が上述した上方向側開口２１ａに相当し、見返しリング３１は、この上方向側開口２１ａを囲う構成となっている。また、見返しリング３１は、径方向の外側から内側に向かって平坦部３１１、傾斜３１２部、先端部３１３を有しており、見返し受け部２９は、平坦部３１１、傾斜部３１２、先端部３１３の各部分にそれぞれ対応するように、対応平坦部２４、対応傾斜部２５、対応先端部２６を有している。
【００２７】
平端部３１１は見返しリング３１のうち径方向の外側に位置し、上下方向から見た場合に、傾斜部３１２や先端部３１３よりも裏蓋５側に位置している。また、上下方向から見た場合に、下方向側端面３１１ａが平坦面として形成されている。平端部３１１に対応する対応平坦部２４は、平端部３１１の下方向側端面３１１ａに対応する平坦面である上方向側端面２４ａを有しており、平端部３１１が載置される。
傾斜部３１２は、見返しリング３１のうち、径方向中央部に位置している。傾斜部３１２は、上方向側から下方向側に向かって径方向外側に傾斜するものであり、上方向側端面３１２ａが傾斜面として形成されている。つまり、上方向側端面３１２ａは、上方向と径方向外方向との間の方向に向かって形成されている。本実施形態における上方向側端面３１２ａは、環状の平らな面で形成されているが、湾曲面など曲面、あるいは曲面と平らな面とを複合した複合面であってもよい。傾斜部３１２に対応する対応傾斜部２５は、傾斜部３１２と同様に、上下方向において下方向側から上方向側に向かって、径方向内側に傾斜して形成されており、傾斜部３１２が載置される。
先端部３１３は、見返しリング３１のうち、径方向の内側端部に位置し、傾斜部３１２から内側に突出するように形成され、上下方向から見た場合に、平端部３１１よりも上方向側に位置している。先端部３１３に対応する対応先端部２６は、対応傾斜部２５の径方向内側から径方向内側方向に突出して形成されており、先端部３１３が載置される。
【００２８】
見返しリング３１の平端部３１１は、下方向側に突出するように形成されたボス３１４を有し、見返し受け部２９の対応平端部２４は、ボス３１４に対応する位置に対応平端部２４の上方向側端面２４ａから下方向に向かって凹んで形成されたボス孔２７を有する。ボス孔２７にボス３１４が挿入されることにより、胴２（時計１）における見返しリング３１の位置を決めることができるとともに、容易に固定することができる。
ボス３１４は、上下方向から見た場合に、見返しリング３１の周方向に対して１つ又は複数形成され、ボス孔２７は少なくともボス３１４に対応する数が見返し受け部２９の周方向に形成されている。
【００２９】
本実施形態において、見返しリング３１は径方向において傾斜部３１２の外側と内側にそれぞれ平端部３１１と先端部３１３を有する構成としたが、これに限定されない。平端部３１１や先端部３１３のどちらか一方または両方は省略されてもよい。また、見返しリングのボス３１４は平端部３１１に形成されているが、これに限定されず傾斜部３１２や先端部３１３に形成してもよく、ボス孔２７もボス３１４の位置に対応するように対応傾斜部２５や対応先端部２６に形成されていてもよく、見返しリング３１の形状に合わせて任意に設けることが好ましい。
また、見返しリング３１は胴２の見返し受け部２９に配置することには限定されず、文字板３４にボス孔２７を設けて文字板３４上に直接見返しリング３１を配置してもよいし、ムーブメント８の図示しないムーブメント受け部材にボス孔２７を設けて見返しリング３１を配置する構成としてもよい。
また、見返しリング３１の固定はボス３１４とボス孔２７の組み合わせに限定されず、接着材を使用して見返しリング３１と受け部材とを接着固定してもよい。
【００３０】
ここで、見返しリング３１の傾斜部３１２は、上下方向において、胴２における上方向側の表面又は端部よりも少なくとも一部が上方向側の端部より上方向側に突出していることが好ましい。
本実施形態では図２，３に示すように、胴２は上下方向における上方向側であって径方向外側の外周部に環状の外壁部２３を有する。言い換えると対応平坦部２４の径方向外側から上方向側に突出するように外壁部２３が形成されている。外壁部２３は、防水部材６を介在させて風防４を挿入し、位置決め及び固定するための位置決め固定部材として機能する。そして、外壁部２３と見返し受け部２９とで囲まれた環状の収容空間部Ｓ２を構成する。つまり、風防４や防水部材６、時計表示部３の一部である見返しリング３１及び時字３２は、収容空間部Ｓ２に配置されているといえる。
【００３１】
本実施形態における胴２における上方向側の表面又は端部は、外壁部２３の上方向側端部に相当し、胴２において最も上方向側に位置する。そして、見返しリング３１の傾斜部３１２の一部と先端部３１３は、上下方向において、外壁部２３の上方向端部よりも上方向側に位置する。これにより、外壁部２３により見返しリング３１の傾斜部３１２が隠されることを抑制できるので、時刻表示や機能表示等の視認性をさらに向上することができる。
【００３２】
時字３２は、指針３３の位置に対する情報をユーザーが認識するための指標であり見返しリング３１の傾斜部３１２に固定されている。時字３２は、見返しリング３１の表面に印刷形成してもよいし、見返しリング３１と一体に形成されていてもよいし、別体に形成されていてもよい。時字３２は、別体に形成されている場合は、接着剤や、ボスとボス孔などで、見返しリング３１に固定されている。以降では、別体で形成された飾り部材を時字３２として接着固定した例として説明する。時字３２は見返しリング３１の周方向に沿って複数配置される。時字３２の形状はそれぞれ異なっていてもよい。本実施形態においては、図１に示すように２種類の時字３２Ａと３２Ｂとが規則的に配列された構成としている。時字３２Ａは、見返しリング３１の周方向において、例えば、１２時位置を起点として３０度ごとに等間隔に形成される。つまり、各時字３２Ａは、１時〜１２時にそれぞれ対応する。時字３２Ｂは、見返しリング３１の周方向において、隣り合う時字３２Ａの間に５度ごとに等間隔に形成されている。時字３２Ａと時字３２Ｂにより、時刻情報における「分」、「秒」に対応する。なお、時字３２は、時計１が有する機能の状態確認表示や、機能に起因する情報を表示するために、単独あるいは指針３３とともに用いることもできる。
【００３３】
時字３２Ａは、上下方向において、少なくとも一部が傾斜部３１２の径方向内側や先端部３１４よりも、上方向側に突出して形成されている。言い換えると、時字３２Ａの一部は、上下方向において、見返しリング３１における上方向側の端部よりも上方向側に突出している。これにより、ユーザーが時計１に対して正対していない方向から時計表示部を見た際に、ユーザーの見ている側とは反対側に位置する時字も視認することができる。従って、時刻表示や機能表示等の視認性をさらに向上することができる。
また、指針３３と時字３２との上下方向における距離を短くすることができるので、時字３２に対する指針３３の相対位置をユーザーがさらに確認し易くなる。
なお、本実施形態においては、時字３２Ａのそれぞれが見返しリング３１の上方向側の端部よりも上方向側に突出している例を説明していたが、複数ある時字３２Ａのうちの少なくとも１個だけが上方向側に突出していてもよい。例えば１２時位置に配置された時字３２Ａのみ突出するような構成とすれば、視認している方向をユーザーが認識しやすくなる。同様に、３時、６時、９時、１２時方向の４か所の時字３２Ａを突出するような構成としてもよい。また、時字３２Ｂも時字３２Ａと同様に、見返しリング３１よりも上方向側に突出した構成としてもよい。
【００３４】
時字３２Ａは、上下方向において、少なくとも一部が上述した胴２の外壁部２３より上方向側に突出して形成されている。言い換えると、時字３２Ａの一部は、上下方向において、胴２における上方向側の端部よりも上方向側に突出している。これにより、ユーザーが正対方向とは異なる方向であって、特に上下方向と直交する水平面（ＸＹ平面）に近い方向から時計表示部３を見たときでも、外壁部２３により時字３２Ａが隠されることなく視認することができる。従って、外壁部２３により時字３２が隠されることを抑制できるので、時刻表示や機能表示等の視認性をさらに向上することができる。
【００３５】
風防４は、本体部４１と、外周端部４２とを有する。本体部４１は、円径状に形成され、上下方向において平坦状あるいは上方向に突出する湾曲状に形成されている。外周端部４２は、本体部４１の径方向外側に形成されている。外周端部４２は、上下方向において裏蓋５側、すなわち下方向側に突出して形成されている。外周端部４２は、上方向側開口２１ａ側から挿入され、径方向において外周壁２３との間に防水部材６を介在させることで保持されている。風防４の外周端部４２は、径方向において外壁部２３と対向する。
ここで、外周端部４２の厚さは、上下方向において上方向側開口２１ａと対向する部分、すなわち本体部４１における厚さよりも薄く形成されている。外周端部４２の厚さを薄くすることにより上下方向から見た場合に、同じ厚さとした場合に比べて風防４と見返しリング３１の傾斜部３１１までのスペース（収容空間部Ｓ２）を広くすることができ、これにより時字３２を大きくすることができる。従って、ユーザーによる時字３２の視認性を向上することができる。
なお、図３において風防４は、防水部材６の介在により風防４と見返しリング３１との間が離間して固定されているが、風防４と見返しリング３１とが接していてもよい。また、風防４は、見返しリング３１の平端部３１１上に配置されるがこれに限定されず、胴２の対応平坦部２４の直上に配置するような構成としてもよい。また、風防４の外周端部４２は径方向において外壁部２３の内周よりも内側であって収容空間部Ｓ２に配置される形状であるとして説明を行ったが、外周端部４２の外形形状が外壁部２３の外周側の外形形状よりも大きくてもよい。このような場合であっても、防水部材６を介して胴２に対して風防４を固定することができる。
【００３６】
文字板３４は、図１〜図４に示すように、指針３３とムーブメント８との間であって内部空間部Ｓ１内に配置され、ムーブメント８を保護するとともに、ユーザーに対して時計１の美観を与える機能を有する。本実施形態では、文字板３４は透過基板３６と、飾り部材である化粧基板３７及び装飾基板３８Ａ，３８Ｂから構成される。文字板３４の構造や配置について図１〜図９を用いて詳細に説明する。図５は、実施形態における文字板３４の正面図である。図６は、実施形態における透明基板３６の正面図である。図７は、実施形態における化粧基板３７の正面図である。図８は、実施形態における装飾基板３８Ａの正面図である。図９は、実施形態における装飾基板３８Ｂの正面図である。
【００３７】
本実施形態の文字板３４は、透過基板３６上に、装飾部材である化粧基板３７が積層され、化粧基板３７上に装飾基板３８Ａ及び装飾基板３８Ｂが積層された多層構造である。文字板３４は、胴２の開口部分の内壁に沿って挿入され固定される。そのため、胴２の開口部分の内壁には、上述した多層構造の文字板３４の各層（透過基板３６、化粧基板３７、装飾基板３８Ａ，３８Ｂ）の厚さに対応するように文字板用切欠部２８が形成されている。
【００３８】
文字板用切欠部２８は、内部空間部Ｓ１を構成する胴２の内周面２１ｃより径方向外側に切り欠かれることで形成されている。つまり、文字板用切欠部２８は、上下方向から見た場合に、環状に形成されており、上方向側開口２１ａよりも径方向外側に形成されている。本実施形態における文字板用切欠部２８は、複数の段差により形成されており、第１段差部２８ａと、第２段差部２８ｂと、第３段差部２８ｃとにより構成され、第１段差部２８ａ、第２段差部２８ｂ、第３段差部２８ｃの順番で外径が広くなる。第１段差部２８ａは、径方向において時計表示部３の後述する化粧基板３７と対向するものであり、化粧基板３７の外周端部３７ａが挿入されるものである。第２段差部２８ｂは、径方向において透過基板３６と対向するものであり、透過基板３６の外周端部３６ａが挿入されるものである。第３段差部２８ｃは、径方向において上述したムーブメント８の押え板８４と対向するものである。
【００３９】
透過基板３６は、図１〜図６に示すように、内部空間部Ｓ１に収容される。透過基板３６は、上下方向において風防４と対向するものであり、透過性を有する。本実施形態における透過基板３６は、円形状に形成され、透明な樹脂材料により構成されている。つまり、ユーザーは、透過基板３６が透明であるため、風防４および透過基板３６を介して、少なくとも内部空間部Ｓ１の一部を視認することができる。透過基板３６は、上下方向から見た場合に、外径が上方向側開口２１ａの開口径よりも大きく形成されており、外周端部３６ａが基板用切欠部２８の第２段差部２８ｂに挿入される。従って、透過基板３６は、上下方向から見た場合に、外周端部３６ａが胴２に積層された見返しリング３１と重なることで、視認することができない。透過基板３６は、中央貫通孔３６ｂ、第１貫通孔３６ｃ、第２貫通孔３６ｄ、第３貫通孔３６ｅが形成されている。各貫通孔３６ｂ〜３６ｅは、透過基板３６を上下方向において貫通するものである。中央貫通孔３６ｂは、指針３３とムーブメント８の輪列歯車とを連結する指針軸が挿入されるための孔である。第１貫通孔３６ｃは、上下方向において、ＥＧ８１と対向して形成されている。第２貫通孔３６ｄは、上下方向において、ＥＧ８２と対向して形成されている。第３貫通孔３６ｅは、上下方向において、ＥＭ８５と対向して形成されている。
【００４０】
化粧基板３７は、図１〜図５、図７に示すように、内部空間部Ｓ１に収容される。化粧基板３７は、透過基板３６の上方向側に積層され、透過基板３６を上方向側で覆うものである。本実施形態における化粧基板３７は、円形状に形成され、例えば、樹脂材料や金属材料などにより構成されている。化粧基板３７は、上下方向から見た場合に、外径が上方向側開口２１ａの開口径よりも大きく形成されており、透過基板３６の外径よりも小さく形成されており、外周端部３７ａが文字板用切欠部２８の第１段差部２８ａに挿入される。従って、化粧基板３７は、上下方向から見た場合に、外周端部３７ａが胴２に積層された見返しリング３１と重なることで、視認することができない。
【００４１】
化粧基板３７は、中央貫通孔３７ｂ、第１貫通孔３７ｃ、第２貫通孔３７ｄ、第３貫通孔３７ｅ、第４貫通孔３７ｆが形成されている。各貫通孔３７ｂ〜ｆは、化粧基板３７を上下方向において貫通するものである。中央貫通孔３７ｂは、指針３３とムーブメント８の輪列歯車とを連結する指針軸が挿入されるための孔である。第１貫通孔３７ｃは、上下方向において、第１貫通孔３６ｃおよびＥＧ８１と対向して、周方向に複数形成されている。なお、隣り合う第１貫通穴３７ｃの間には、装飾基板３８Ａの後述する一方の環状部３８ａに対応する各アーム３８ｂ〜３８ｄにそれぞれ対応する対応アーム部が形成されている。第２貫通孔３７ｄは、上下方向において、第２貫通孔３６ｄおよびＥＧ８２と対向して、周方向に複数形成されている。なお、隣り合う第２貫通穴３７ｄの間には、装飾基板３８Ａの後述する他方の環状部３８ａに対応する各アーム３８ｂ〜３８ｄにそれぞれ対応する対応アーム部が形成されている。第３貫通孔３７ｅは、上下方向において、第３貫通孔３６ｅおよびＥＭ８５と対向して、周方向に複数形成されている。なお、隣り合う第３貫通穴３７ｅの間には、装飾基板３８Ｂの後述する環状部３８ａに対応する各アーム部３８ｂ〜３８ｄにそれぞれ対応する対応アーム部が形成されている。第４貫通穴３７ｆは、化粧基板３７に対して複数形成されている。本実施形態における各第４貫通穴３７ｆは、第１貫通穴３７ｃ、第２貫通穴３７ｄ、第３貫通穴３７ｅを取り囲むように形成されている。つまり、化粧基板３７は透過基板３６を上方向側で覆うが、ユーザーは、化粧基板３７の各貫通穴３７ｃ〜３７ｆを介して、化粧版３７の下方向側、すなわち透過基板３６側を視認することができる。従って、ユーザーは、化粧基板３７を有していても、風防４、化粧基板３７の各貫通穴３７ｃ〜３７ｆおよび透過基板３６を介して、ＥＧ８１，８２、ＥＭ８５および少なくとも内部空間部Ｓ１の一部を視認することができる。
【００４２】
装飾基板３８Ａ，３８Ｂは、図１〜図５、図８、図９に示すように、内部空間部Ｓ１に収容される。
【００４３】
装飾基板３８Ａは、環状部３８ａと、第１アーム部３８ｂと、第２アーム部３８ｃと、第３アーム部３８ｄと、連結部３８ｅとを有する。環状部３８ａは、幅方向に２つ形成されている。一方の環状部３８ａは、上下方向において化粧版３７の軸貫通穴、第１貫通孔３６ｃおよびＥＧ８１と対向するものである。一方の環状部３８ａに対応する第１アーム部３８ｂは、９時方向に向けて突出して形成されている。一方の環状部３８ａに対応する第２アーム部３８ｃは、３時方向および６時方向の間の方向に向けて突出して形成されている。一方の環状部３８ａに対応する第３アーム部３８ｄは、３時方向および１２時方向に向けて突出して形成されている。一方の環状部３８ａに連結する各アーム部３８ｂ〜３８ｄの周方向における間は、上下方向において、各第１貫通孔３７ｃ、第１貫通孔３６ｃおよびＥＧ８１と対向して形成されている。他方の環状部３８ａは、上下方向において化粧版３７の軸貫通穴、第２貫通孔３６ｄおよびＥＧ８２と対向するものである。他方の環状部３８ａに対応する第１アーム部３８ｂは、３時方向に向けて突出して形成されている。他方の環状部３８ａに対応する第２アーム部３８ｃは、９時方向および６時方向の間の方向に向けて突出して形成されている。他方の環状部３８ａに対応する第３アーム部３８ｄは、９時方向および１２時方向の間の方向に向けて突出して形成されている。連結部３８ｅは、２つの第１アーム部３８ｂの先端が連結されており、幅方向において２つの環状部３８ａ、３８ａの間に位置する。他方の環状部３８ａに連結する各アーム部３８ｂ〜３８ｄの間は、上下方向において、各第２貫通孔３７ｄ、第２貫通孔３６ｄおよびＥＧ８２と対向して形成されている。他方の環状部３８ａに連結する各アーム部３８ｂ〜３８ｄの周方向における間は、上下方向において、各第２貫通孔３７ｄ、第１貫通孔３６ｄおよびＥＧ８２と対向して形成されている。つまり、装飾基板３８Ａは化粧基板３７を上方向側で覆うが、ユーザーは、装飾基板３８Ａの各アーム部３８ｂ〜３８ｄの周方向における間を介して、装飾基板３８Ａの下方向側、すなわち化粧版３７側を視認することができる。従って、ユーザーは、装飾基板３８Ａを有していても、風防４、各アーム部３８ｂ〜３８ｄの周方向における間、化粧基板３７の各貫通穴３７ｂ〜３７ｃおよび透過基板３６を介して、ＥＧ８１，８２を視認することができる。
【００４４】
装飾基板３８Ｂは、環状部３８ａと、第１アーム部３８ｂと、第２アーム部３８ｃと、第３アーム部３８ｄと、半環状部３８ｆとを有する。環状部３８ａは、上下方向において化粧版３７の軸貫通穴、第３貫通孔３６ｅおよびＥＭ８５と対向するものである。第１アーム部３８ｂは、９時方向および１２時方向の間の方向に向けて突出して形成されている。第２アーム部３８ｃは、３時方向および１２時方向の間の方向に向けて突出して形成されている。第３アーム部３８ｄは、３時方向および９時方向の間の方向に向けて突出して形成されている。半環状部３８ｆは、各アーム部３８ｂ〜３８ｄの先端が連結されており、第１アーム部３８ｂの先端と第２アーム部３８ｃの先端との間および第２アーム部３８ｃの先端と第３アーム部３８ｄの先端との間を連結する。環状部３８ａに連結する各アーム部３８ｂ〜３８ｄの周方向における間は、上下方向において、各第３貫通孔３７ｅ、第３貫通孔３６ｅおよびＥＭ８５と対向して形成されている。つまり、装飾基板３８Ｂは化粧基板３７を上方向側で覆うが、ユーザーは、装飾基板３８Ｂの各アーム部３８ｂ〜３８ｄの周方向における間を介して、装飾基板３８Ｂの下方向側、すなわち化粧版３７側を視認することができる。従って、ユーザーは、装飾基板３８Ｂを有していても、風防４、各アーム部３８ｂ〜３８ｄの周方向における間、化粧基板３７の各貫通穴３７ｆおよび透過基板３６を介して、ＥＭ８５を視認することができる。
【００４５】
ここで、各アーム部３８ｂ〜３８ｄの周方向における間隔は、第１アーム部３８ｂと第２アーム部３８ｃとの間の間隔および第２アーム部３８ｃと第３アーム部３８ｄとの間の間隔よりも第１アーム部３８ｂと第３アーム部３８ｄとの間の間隔が広い。言い換えると、第１アーム部３８ｂと第２アーム部３８ｃとの間のなす角および第２アーム部３８ｃと第３アーム部３８ｄとの間のなす角よりも第１アーム部３８ｂと第３アーム部３８ｄとの間のなす角が大きい。間隔が広い（なす角が大きい）第１アーム部３８ｂと第３アーム部３８ｄとの間は、間隔が狭い（なす角が小さい）第１アーム部３８ｂと第２アーム部３８ｃとの間および第２アーム部３８ｃと第３アーム部３８ｄとの間と比較して、ユーザーの目につきやすく、隣合うアーム部３８ｂ〜３８ｄ群間で、間隔が広い（なす角が大きい）側が対向しているためユーザーの視線を誘導することができる。
【００４６】
なお、本実施形態における時計１は、化粧基板３７の外周端部３７ａが文字板用切欠部２８の第１段差部２８ａに挿入されるがこれに限定されるものではない。化粧基板３７は、外径が上方向側開口２１ａの開口径よりも小さく形成されていてもよい。この場合、文字板用切欠部２８において最も風防４側、すなわち上方向側に透明基板３６の外周端部３６ａが位置することとなる。従って、ユーザーは、上下方向において文字板用切欠部２８よりも下方向側に位置する内部空間部Ｓ１の一部を視認することができる。これにより、ユーザーは、上方向側開口２１ａの開口径よりも広い範囲で、内部空間部Ｓ１を視認することができる。
【符号の説明】
【００４７】
１  時計
１０  外装ケース
２  胴
２１  環状部
２２  かん
２３  外壁部
２４  対応平坦部
２５  対応傾斜部
２６  対応先端部
２７  ボス孔
２８  文字板用切欠部
２９  見返し受け部
３  時計表示部
３１  見返しリング
３１１  平坦部
３１２  傾斜部
３１３  先端部
３１４  ボス
３２、３２Ａ，３２Ｂ  時字
３３  指針
３３Ａ  秒針
３３Ｂ  分針
３３Ｃ  時針
３４  文字板
３６  透過基板
３６ａ  外周端部
３７  化粧基板
３８Ａ，３８Ｂ  装飾基板
４  風防
４１  本体部
４２  外周端部
５  裏蓋
６，７  防水部材
８  ムーブメント
９  ベルト
Ｓ１  内部空間部
Ｓ２  収容空間部
【図１】
2020134246.tif 000003
【図２】
2020134246.tif 000004
【図３】
2020134246.tif 000005
【図４】
2020134246.tif 000006
【図５】
2020134246.tif 000007
【図６】
2020134246.tif 000008
【図７】
2020134246.tif 000009
【図８】
2020134246.tif 000010
【図９】
2020134246.tif 000011